(57)【要約】  【課題】  放送信号の受信状況に関わらず、放送受信装置の利用者に臨時的番組の発生を通知することを可能とした放送システム、放送サービス制御装置、制御処理方法、放送受信装置及び放送サービス提供方法を提供する。  【解決手段】  放送サービス制御装置２００は、臨時的番組である速報に関連付けられた関連データをインターネット５００を介して放送受信装置３００へ送信する速報関連データ配信部２０４を有し、放送受信装置３００は、放送サービス制御装置２００からの速報関連データを受信する通信部３０２と、放送装置１０２からの放送信号を受信していない状態において、受信された速報関連データにて表される関連情報をモニタ３２８から出力させる速報処理部３０４とを有する。【選択図】  図１
2005260646.tif 000002
【特許請求の範囲】
【請求項１】
放送サービス制御装置と、放送装置からの放送信号が伝送される通信路とは別の所定の通信ネットワークによって前記放送サービス制御装置と接続される放送受信装置とを有する放送システムであって、
前記放送サービス制御装置は、
前記放送装置が所定のスケジュールに従って放送する放送番組以外の臨時的番組を放送するに際し、前記臨時的番組に関連付けられた関連データを前記所定の通信ネットワークを介して前記放送受信装置へ送信する関連データ送信手段を有し、
前記放送受信装置は、
前記放送サービス制御装置からの前記関連データを前記所定の通信ネットワークを介して受信する関連データ受信手段と、
前記放送装置から放送される臨時的番組に対応する放送信号を受信していない状態において、受信された前記関連データにて表される関連情報を出力装置から出力させる関連情報出力制御手段とを有することを特徴とする放送システム。
【請求項２】
放送装置からの放送信号が伝送される通信路とは別の所定の通信ネットワークにより放送受信装置が接続される放送サービス制御装置であって、
前記放送装置が所定のスケジュールに従って放送する放送番組以外の臨時的番組を放送するに際し、前記臨時的番組に関連付けられた関連データを前記所定の通信ネットワークを介して前記放送受信装置へ送信する関連データ送信手段を有することを特徴とする放送サービス制御装置。
【請求項３】
前記関連データは、前記臨時的番組を放送する放送装置に対応する放送局の選局データを含むことを特徴とする請求項２に記載の放送サービス制御装置。
【請求項４】
前記関連データは、前記臨時的番組のコンテンツデータを含むことを特徴とする請求項２又は３に記載の放送サービス制御装置。
【請求項５】
前記関連データは、前記臨時的番組に関連して現在放送されている番組に関する情報を含むことを特徴とする請求項２乃至４のいずれかに記載の放送サービス制御装置。
【請求項６】
前記関連データは、前記臨時的番組に関連した番組の放送予定に関する情報を含むことを特徴とする請求項２乃至５のいずれかに記載の放送サービス制御装置。
【請求項７】
前記関連データ送信手段は、複数の前記放送装置から受信した前記関連データを前記放送受信装置へ前記所定の通信ネットワークを介して送信することを特徴とする請求項２乃至６のいずれかに記載の放送サービス制御装置。
【請求項８】
前記関連データ送信手段は、複数の前記放送受信装置のうち、所定の条件を満たす放送受信装置へ前記関連データを送信することを特徴とする請求項２乃至７のいずれかに記載の放送サービス制御装置。
【請求項９】
放送装置からの放送信号が伝送される通信路とは別の所定の通信ネットワークにより放送受信装置が接続される放送サービス制御装置における制御処理方法であって、
前記放送装置が所定のスケジュールに従って放送する放送番組以外の臨時的番組を放送するに際し、前記臨時的番組に関連付けられた関連データを前記所定の通信ネットワークを介して前記放送受信装置へ送信する関連データ送信ステップを有することを特徴とする制御処理方法。
【請求項１０】
前記関連データは、前記臨時的番組を放送する放送装置に対応する放送局の選局データを含むことを特徴とする請求項９に記載の制御処理方法。
【請求項１１】
前記関連データは、前記臨時的番組のコンテンツデータを含むことを特徴とする請求項９又は１０に記載の制御処理方法。
【請求項１２】
前記関連データは、前記臨時的番組に関連して現在放送されている番組に関する情報を含むことを特徴とする請求項９乃至１１のいずれかに記載の制御処理方法。
【請求項１３】
前記関連データは、前記臨時的番組に関連した番組の放送予定に関する情報を含むことを特徴とする請求項９乃至１２のいずれかに記載の制御処理方法。
【請求項１４】
前記関連データ送信ステップは、複数の前記放送装置から受信した前記関連データを前記放送受信装置へ前記所定の通信ネットワークを介して送信することを特徴とする請求項９乃至１３のいずれかに記載の制御処理方法。
【請求項１５】
前記関連データ送信ステップは、複数の前記放送受信装置のうち、所定の条件を満たす放送受信装置へ前記関連データを送信することを特徴とする請求項９乃至１４のいずれかに記載の制御処理方法。
【請求項１６】
放送装置からの放送信号が伝送される通信路とは別の所定の通信ネットワークによって放送サービス制御装置に接続される放送受信装置であって、
前記放送装置が所定のスケジュールに従って放送する放送番組以外の臨時的番組を放送する際に、前記放送サービス制御装置から前記所定の通信ネットワークを介して送信される前記臨時的番組に関連付けられた関連データを受信する関連データ受信手段と、
前記放送装置からの前記臨時的番組に対応する放送信号を受信していない状態において、前記関連データにて表される関連情報を出力装置から出力させる関連情報出力制御手段とを有することを特徴とする放送受信装置。
【請求項１７】
前記関連情報出力制御手段は、前記臨時的番組以外のコンテンツが前記出力装置から出力されている状態において、前記関連データにて表される関連情報を前記出力装置から出力させることを特徴とする請求項１６に記載の放送受信装置。
【請求項１８】
前記関連情報出力制御手段は、前記出力装置の主電源がオフであり、且つ、補助電源がオンである状態において、前記主電源をオンにして前記関連データにて表される関連情報を前記出力装置から出力させることを特徴とする請求項１６又は１７に記載の放送受信装置。
【請求項１９】
前記関連データは、前記臨時的番組に関連して現在放送されている番組に関する情報を含み、
操作ユニットにて第１の所定操作がなされたときに、前記臨時的番組に関連して現在放送されている番組に対応する放送信号を受信する制御を行う放送信号受信制御手段を有することを特徴とする請求項１６乃至１８のいずれかに記載の放送受信装置。
【請求項２０】
前記関連データは、前記臨時的番組に関連した番組の放送予定に関する情報を含み、
前記関連情報出力制御手段は、前記臨時的番組に対応する番組の放送予定を前記出力装置に出力させることを特徴とする請求項１６乃至２０のいずれかに記載の放送受信装置。
【請求項２１】
前記放送装置から放送される番組の放送信号に対応するコンテンツデータを蓄積する放送番組蓄積手段と、
操作ユニットにて第２の所定操作がなされたときに、前記出力装置から出力される放送予定の番組についての蓄積予約処理を行う蓄積予約手段とを有することを特徴とする請求項２０に記載の放送受信装置。
【請求項２２】
前記関連データは、前記臨時的番組のコンテンツデータを含み、
前記関連情報出力制御手段は、前記関連データに含まれるコンテンツデータに従って前記出力装置にストリーミング再生を行わせることを特徴とする請求項１６乃至２１のいずれかに記載の放送受信装置。
【請求項２３】
放送装置からの放送信号が伝送される通信路とは別の所定の通信ネットワークによって放送サービス制御装置に接続される放送受信装置における放送サービス提供方法であって、
前記放送装置が所定のスケジュールに従って放送する放送番組以外の臨時的番組を放送する際に、前記放送サービス制御装置から前記所定の通信ネットワークを介して送信される前記臨時的番組に関連付けられた関連データを受信する関連データ受信ステップと、
前記放送装置からの前記臨時的番組に対応する放送信号を受信していない状態において、前記関連データにて表される関連情報を出力装置から出力させる関連情報出力制御ステップとを有することを特徴とする放送サービス提供方法。
【発明の詳細な説明】
【技術分野】
【０００１】
本発明は、各種の放送サービスを提供する放送システム、放送サービス制御装置、制御処理方法、放送受信装置及び放送サービス提供方法に関する。
【背景技術】
【０００２】
テレビ放送においては、放送事業者が災害や選挙結果等の緊急性のある情報を広く伝えるべく、字幕スーパーによるニュース速報が提供される。このようなニュース速報の見逃しを防止すべく、受信した放送信号からニュース速報の開始時における予告チャイム音を検出した場合に、そのニュース速報を含んだ映像を録画したり、ディスプレイに表示するシステムが提供されている（例えば、特許文献１参照）。
【特許文献１】特開平１０−１９１２４１号公報
【発明の開示】
【発明が解決しようとする課題】
【０００３】
しかしながら、前述のシステムでは、放送信号を受信していなければ、予告チャイム音を検出することができないため、依然として見逃しが生じてしまう場合がある。また、現状では、予告チャイム音は放送事業者毎に異なるため、多くの放送事業者が提供するニュース速報の見逃しを防止するためには、放送事業者毎に異なる予告チャイム音を検出可能とする必要がある。このため、装置構成が複雑になったり、予告チャイム音の登録等の煩雑な作業が必要になる。
【０００４】
本発明は従来の問題を解決するためになされたもので、放送信号の受信状況に関わらず、放送受信装置の利用者に臨時的番組の発生を通知することを可能とした放送システム、放送受信装置、放送サービス提供方法及び放送サービス提供プログラムを提供することを目的とする。
【課題を解決するための手段】
【０００５】
本発明の放送システムは、放送サービス制御装置と、放送装置からの放送信号が伝送される通信路とは別の所定の通信ネットワークによって前記放送サービス制御装置と接続される放送受信装置とを有するものであって、前記放送サービス制御装置が、前記放送装置が所定のスケジュールに従って放送する放送番組以外の臨時的番組を放送するに際し、前記臨時的番組に関連付けられた関連データを前記所定の通信ネットワークを介して前記放送受信装置へ送信する関連データ送信手段を有し、前記放送受信装置が、前記放送サービス制御装置からの前記関連データを前記所定の通信ネットワークを介して受信する関連データ受信手段と、前記放送装置から放送される臨時的番組に対応する放送信号を受信していない状態において、受信された前記関連データにて表される関連情報を出力装置から出力させる関連情報出力制御手段とを有する構成となる。
【０００６】
この構成により、放送サービス制御装置は、臨時的番組に関連付けられた関連データを、放送装置からの放送信号が伝送される通信路とは別の所定の通信ネットワークを介して放送受信装置へ送信し、放送受信装置は、臨時的番組に対応する放送信号を受信しているかいないかに関わらず、臨時的番組に関連付けられた関連データを受信して、その関連データにて表される関連情報を出力装置から出力させる。従って、放送受信装置における放送信号の受信状況に関わらず、その放送受信装置の利用者に臨時的番組の発生を通知することが可能となる。
【０００７】
また、本発明の放送サービス制御装置は、放送装置からの放送信号が伝送される通信路とは別の所定の通信ネットワークにより放送受信装置が接続されるものであって、前記放送装置が所定のスケジュールに従って放送する放送番組以外の臨時的番組を放送するに際し、前記臨時的番組に関連付けられた関連データを前記所定の通信ネットワークを介して前記放送受信装置へ送信する関連データ送信手段を有する構成となる。
【０００８】
この構成により、放送サービス制御装置は、臨時的番組に関連付けられた関連データを、放送装置からの放送信号が伝送される通信路とは別の所定の通信ネットワークを介して放送受信装置へ送信する。このため、放送受信装置は、臨時的番組に対応する放送信号を受信しているかいないかに関わらず、臨時的番組に関連付けられた関連データを受信して、その関連データにて表される関連情報を出力装置から出力させることが可能となり、放送受信装置における放送信号の受信状況に関わらず、放送受信装置の利用者に臨時的番組の発生を通知することが可能となる。
【０００９】
また、本発明の放送サービス制御装置は、前記関連データが、前記臨時的番組を放送する放送装置に対応する放送局の選局データを含む構成となる。
【００１０】
この構成により、放送受信装置の利用者を臨時的番組の視聴へ誘導させることが可能となるとともに、その放送受信装置の利用者が容易に臨時的番組を視聴することが可能となる。
【００１１】
また、本発明の放送サービス制御装置は、前記関連データが、前記臨時的番組のコンテンツデータを含む構成となる。
【００１２】
この構成により、放送受信装置において臨時的番組のストリーミング再生が可能となる。
【００１３】
また、本発明の放送サービス制御装置は、前記関連データが、前記臨時的番組に関連して現在放送されている番組に関する情報を含む構成となる。
【００１４】
この構成により、放送受信装置の利用者が容易に臨時的番組に関連する特別番組等を視聴することが可能となる。
【００１５】
また、本発明の放送サービス制御装置は、前記関連データが、前記臨時的番組に関連した番組の放送予定に関する情報を含む構成となる。
【００１６】
この構成により、放送受信装置の利用者が容易に臨時的番組に関連する特別番組等の放送予定を認識することが可能となる。
【００１７】
また、本発明の放送サービス制御装置は、前記関連データ送信手段が、複数の前記放送装置から受信した前記関連データを前記放送受信装置へ前記所定の通信ネットワークを介して送信する構成となる。
【００１８】
この構成により、放送受信装置は、各放送装置から個別に関連データ等を受信する必要がなく、受信処理を簡略化することができる。
【００１９】
また、本発明の放送サービス制御装置は、前記関連データ送信手段が、複数の前記放送受信装置のうち、所定の条件を満たす放送受信装置へ前記関連データを送信する構成となる。
【００２０】
この構成により、例えば特定の地域に存在して臨時的番組を視聴する必要のある放送受信装置の利用者等、特定の利用者に対してのみ臨時的番組の視聴を誘導することが可能となる。
【００２１】
また、本発明の制御処理方法は、放送装置からの放送信号が伝送される通信路とは別の所定の通信ネットワークにより放送受信装置が接続される放送サービス制御装置におけるものであって、前記放送装置が所定のスケジュールに従って放送する放送番組以外の臨時的番組を放送するに際し、前記臨時的番組に関連付けられた関連データを前記所定の通信ネットワークを介して前記放送受信装置へ送信する関連データ送信ステップを有する構成となる。
【００２２】
また、本発明の制御処理方法は、前記関連データが、前記臨時的番組を放送する放送装置に対応する放送局の選局データを含む構成となる。
【００２３】
また、本発明の制御処理方法は、前記関連データが、前記臨時的番組のコンテンツデータを含む構成となる。
【００２４】
また、本発明の制御処理方法は、前記関連データが、前記臨時的番組に関連して現在放送されている番組に関する情報を含む構成となる。
【００２５】
また、本発明の制御処理方法は、前記関連データが、前記臨時的番組に関連した番組の放送予定に関する情報を含む構成となる。
【００２６】
また、本発明の制御処理方法は、前記関連データ送信ステップが、複数の前記放送装置から受信した前記関連データを前記放送受信装置へ前記所定の通信ネットワークを介して送信する構成となる。
【００２７】
また、本発明の制御処理方法は、前記関連データ送信ステップが、複数の前記放送受信装置のうち、所定の条件を満たす放送受信装置へ前記関連データを送信する構成となる。
【００２８】
また、本発明の放送受信装置は、放送装置からの放送信号が伝送される通信路とは別の所定の通信ネットワークによって放送サービス制御装置に接続されるものであって、前記放送装置が所定のスケジュールに従って放送する放送番組以外の臨時的番組を放送する際に、前記放送サービス制御装置から前記所定の通信ネットワークを介して送信される前記臨時的番組に関連付けられた関連データを受信する関連データ受信手段と、前記放送装置からの前記臨時的番組に対応する放送信号を受信していない状態において、前記関連データにて表される関連情報を出力装置から出力させる関連情報出力制御手段とを有する構成となる。
【００２９】
この構成により、放送受信装置は、臨時的番組に対応する放送信号を受信しているかいないかに関わらず、臨時的番組に関連付けられた関連データを受信して、その関連データにて表される関連情報を出力装置から出力させる。従って、放送信号の受信状況に関わらず、放送受信装置の利用者に臨時的番組の発生を通知することが可能となる。
【００３０】
また、本発明の放送受信装置は、前記関連情報出力制御手段が、前記臨時的番組以外のコンテンツが前記出力装置から出力されている状態において、前記関連データにて表される関連情報を前記出力装置から出力させる構成となる。
【００３１】
この構成により、放送受信装置は、臨時的番組以外のコンテンツが利用者によって視聴されている場合においても、関連データにて表される関連情報を出力装置から出力させることが可能になる。
【００３２】
また、本発明の放送受信装置は、前記関連情報出力制御手段が、前記出力装置の主電源がオフであり、且つ、補助電源がオンである状態において、前記主電源をオンにして前記関連データにて表される関連情報を前記出力装置から出力させる構成となる。
【００３３】
この構成により、放送受信装置は、主電源がオフになっている場合であっても、補助電源がオンであれば、関連データにて表される関連情報を出力装置から出力させることが可能になる。
【００３４】
また、本発明の放送受信装置は、前記関連データが、前記臨時的番組に関連して現在放送されている番組に関する情報を含み、操作ユニットにて第１の所定操作がなされたときに、前記臨時的番組に関連して現在放送されている番組に対応する放送信号を受信する制御を行う放送信号受信制御手段を有する構成となる。
【００３５】
この構成により、放送受信装置の利用者が、容易に臨時的番組を視聴することが可能となる。
【００３６】
また、本発明の放送受信装置は、前記関連データが、前記臨時的番組に関連した番組の放送予定に関する情報を含み、前記関連情報出力制御手段が、前記臨時的番組に対応する番組の放送予定を前記出力装置に出力させる構成となる。
【００３７】
この構成により、放送受信装置の利用者が、容易に臨時的番組に関連する特別番組等の放送予定を認識することが可能となる。
【００３８】
また、本発明の放送受信装置は、前記放送装置から放送される番組の放送信号に対応するコンテンツデータを蓄積する放送番組蓄積手段と、操作ユニットにて第２の所定操作がなされたときに、前記出力装置から出力される放送予定の番組についての蓄積予約処理を行う蓄積予約手段とを有する構成となる。
【００３９】
この構成により、放送受信装置の利用者は、視聴したい臨時的番組の録画予約等を行うことが可能となる。
【００４０】
また、本発明の放送受信装置は、前記関連データが、前記臨時的番組のコンテンツデータを含み、前記関連情報出力制御手段が、前記関連データに含まれるコンテンツデータに従って前記出力装置にストリーミング再生を行わせる構成となる。
【００４１】
この構成により、放送受信装置において臨時的番組のストリーミング再生が可能となる。
【００４２】
また、本発明の放送サービス提供方法は、放送装置からの放送信号が伝送される通信路とは別の所定の通信ネットワークによって放送サービス制御装置に接続される放送受信装置におけるものであって、前記放送装置が所定のスケジュールに従って放送する放送番組以外の臨時的番組を放送する際に、前記放送サービス制御装置から前記所定の通信ネットワークを介して送信される前記臨時的番組に関連付けられた関連データを受信する関連データ受信ステップと、前記放送装置からの前記臨時的番組に対応する放送信号を受信していない状態において、前記関連データにて表される関連情報を出力装置から出力させる関連情報出力制御ステップとを有する構成となる。
【発明の効果】
【００４３】
本発明は、放送受信装置が、臨時的番組に対応する放送信号を受信しているかいないかに関わらず、その臨時的番組に関連付けられた関連データを所定の通信ネットワークを介して受信して、関連データにて表される関連情報を出力装置から出力させており、放送受信装置における放送信号の受信状況に関わらず、その放送受信装置の利用者に臨時的番組の発生を通知することが可能となる。
【発明を実施するための最良の形態】
【００４４】
以下、本発明の実施の形態の放送システムについて、図面を用いて説明する。
【００４５】
本発明の実施の形態における放送システムのブロック図を図１に示す。図１において、放送システムは、放送局１００−１乃至１００−ｎ（以下、これら放送局１００−１乃至１００−ｎをまとめて、適宜「放送局１００」と称する）のそれぞれにおいて放送信号の送出等を行う放送装置１０２と、速報発生通知に関する制御を行う放送サービス制御装置２００内の速報関連データ生成部２０２及び速報関連データ配信部２０４と、放送信号を受信するとともに、利用者に対して速報発生通知を行う放送受信装置３００内の通信部３０２、速報処理部３０４、メモリ部３０６、オンスクリーン処理部３０８、システム制御部３１０、電源部３１２、ストリーミング処理部３１４、放送受信部３１５、蓄積媒体３１６、蓄積再生処理部３１８、スイッチ３２０、テレビ信号処理部３２２、イベント処理部３２４、選局部３２６及びモニタ３２８と、リモコン装置４００と、放送サービス制御装置２００と放送受信装置３００とを接続する通信ネットワークとしてのインターネット５００とを有する。
【００４６】
この放送システムは、選挙速報やニュース速報等の速報としての臨時的番組を放送受信装置３００の利用者に提供する。
【００４７】
以上のように構成された放送システムについて、その動作を説明する。
【００４８】
放送システムの動作を示すシーケンス図を図２に示す。放送局１００内の放送装置１０２は、放送受信装置３００の臨時的番組である速報が発生した場合、その速報の発生を通知するための速報発生通知データを生成し、放送サービス制御装置２００へ送信する（Ｓ１０１）。
【００４９】
速報発生通知データの一例を図３に示す。図３に示す速報発生通知データは、制御メッセージと表示用基礎データとに分類され、更に制御メッセージ及び表示用基礎データはそれぞれ基本データと必要に応じて付加される拡張データとに分類される。制御用メッセージの基本データには、速報発生通知データであることを示すフラグ（割り込みフラグ）と、速報を提供する放送局１００の識別情報である選局情報とが含まれる。また、制御メッセージの拡張データには、速報に関連する番組の名称や開始時刻、終了時刻等を有する録画予約情報と、速報と並行してその速報に関連する特別番組が放送されていることを示す特番放送情報とが含まれる。一方、表示用基礎データの基本データには、速報をテロップ表示するための文字情報である速報テロップ用テキストデータが含まれる。また、表示用基礎データの拡張データには、放送受信装置３００において速報に関連する番組のストリーミング再生を可能にするためのストリーミング再生データが含まれる。
【００５０】
放送サービス制御装置２００内の速報関連データ生成部２０２は、各放送局１００内の放送装置１０２からの速報発生通知データを受信すると、この速報発生通知データに所定の情報を付加して速報関連データを生成する（Ｓ１０２）。
【００５１】
速報関連データの一例を図４に示す。図４に示す速報関連データは、制御メッセージと表示用データとに分類され、更に制御メッセージ及び表示用データは基本データと必要に応じて付加される拡張データとに分類される。制御用メッセージの基本データには、速報関連データの配信先である放送受信装置３００を識別する配信先ＩＰアドレスと、速報関連データであることを示すフラグ（割り込みフラグ）と、速報発生通知データ内の選局情報とが含まれる。また、制御メッセージの拡張データには、速報発生通知データ内の録画予約情報及び特番放送情報が含まれる。
【００５２】
配信先ＩＰアドレスは、例えば以下のようにして設定される。すなわち、速報が所定地域の放送受信装置３００の利用者を対象とするものであった場合、放送局１００内の放送装置１０２は、速報発生通知データにその所定地域を特定する情報を含めて送信する。そして、速報関連データ生成部２０２は、予め地域と放送受信装置３００のＩＰアドレスとの対応付けを認識しておき、速報発生通知データを受信した場合には、その速報発生通知データに含まれる所定地域を特定する情報に基づいて、その所定地域に存在する放送受信装置３００のＩＰアドレスを配信先ＩＰアドレスとして設定する。あるいは、放送局１００が限定された放送エリアにのみ放送を行っている場合には、速報関連データ生成部２０２は、予め放送局１００の放送エリアと、地域と放送受信装置３００のＩＰアドレスとの対応付けを認識しておき、速報発生通知データを受信した場合には、その速報発生通知データの送信元である放送局１００の放送エリアに存在する放送受信装置３００のＩＰアドレスを配信先ＩＰアドレスとして設定する。また、放送局１００がケーブルテレビの放送局であって契約者にのみ放送サービスを提供している場合には、速報関連データ生成部２０２は、予め放送局１００が提供する放送サービスの契約者に対応する放送受信装置３００のＩＰアドレスを認識しておき、速報発生通知データを受信した場合には、その速報発生通知データの送信元である放送局１００が提供する放送サービスの契約者に対応する放送受信装置３００のＩＰアドレスを配信先ＩＰアドレスとして設定する。このようにして配信先ＩＰアドレスが設定されることにより、例えば特定の地域に災害が発生した場合における、その特定の地域に存在する放送受信装置３００の利用者等、速報を視聴する必要のある特定の利用者にのみ速報の発生を通知することができる。
【００５３】
一方、表示用データの基本データには、速報の発生を放送受信装置３００の利用者に通知する際の表示データ（速報通知用表示データ）と、放送受信装置３００内のモニタ３２８に速報が表示される際の映像の大きさを示す画枠データと、速報発生通知データ内の速報テロップ用テキストデータとが含まれる。また、表示用データの拡張データには、速報発生通知データ内のストリーミング再生データが含まれる。
【００５４】
速報関連データ配信部２０４は、速報関連データ生成部２０２において生成された速報関連データを、その速報関連データ内の配信先ＩＰアドレスにより特定される放送受信装置３００に対して、インターネット５００を介して送信する（Ｓ１０３）。
【００５５】
放送受信装置３００内の通信部３０２は、速報関連データを受信すると、速報処理部３０４へ出力する。また、通信部３０２は、速報関連データにストリーミング再生データが含まれている場合には、そのストリーミング再生データをストリーミング処理部３１４へ出力する。速報処理部３０４等は、速報関連データに基づいて、速報発生通知を行う（Ｓ１０４）。
【００５６】
速報発生通知の詳細な動作のフローチャートを図５に示す。なお、以下においては、少なくとも放送受信装置３００の補助電源がオンであるものとする。速報処理部３０４は、割込検出機能により、速報関連データを受信したか否かを判定する（Ｓ２０１）。具体的には、速報処理部３０４は、通信部３０２からの速報関連データを入力した場合に、速報関連データを受信したと判定する。そして、速報処理部３０４は、メッセージ取得／処理機能により、入力した速報関連データをメモリ部３０６に格納する。
【００５７】
速報関連データが受信された場合、速報処理部３０４は、その旨の通知をシステム制御部３１０へ出力する。この場合、システム制御部３１０は、主電源がオンであるか否かを判定する（Ｓ２０２）。主電源がオンであった場合、システム制御部３１０は、その旨の通知を速報処理部３０４へ出力する。一方、主電源がオフであった場合、システム制御部３１０は、電源部３１２に対して主電源のオンを指示する。電源３１２は、この指示に従い、主電源をオンにする（Ｓ２０３）。そして、主電源がオンになった場合、システム制御部３１０は、その旨の通知を速報処理部３０４へ出力する。
【００５８】
速報処理部３０４は、システム制御部３１０から主電源がオンであることの通知を受けると、利用者に速報が発生した旨を通知するための制御を行う（Ｓ２０４）。具体的には、速報処理部３０４は、メッセージ取得／処理機能により、メモリ３０６に格納された速報関連データから速報通知用表示データ及び画枠データを抽出してオンスクリーン処理部３０８へ出力する。オンスクリーン処理部３０８は、入力した速報通知用表示データ及び画枠データに基づいて、速報発生通知用の映像信号を生成し、テレビ信号処理部３２２へ出力する。
【００５９】
速報関連データの受信前から放送受信装置３００の主電源がオンであった場合、スイッチ３２０は、イベント処理部３２４及びシステム制御部３１０を介したリモコン装置４００による利用者の操作指示に応じて、放送受信部３１５が受信した映像信号と、蓄積再生処理部３１８が蓄積媒体３１６からデータを読み出して生成した映像信号とのいずれかを選択的にテレビ信号処理部３２２へ出力している。この場合、テレビ信号処理部３２２は、スイッチ３２０からの映像信号とオンスクリーン処理部３０８からの速報発生通知用の映像信号とを合成し、その映像信号をモニタ３２８へ出力する。モニタ３２８は、入力した映像信号に応じた映像、すなわち、速報発生通知用の映像を表示する。
【００６０】
速報発生通知の前後における画面遷移を図６に示す。図６（ａ）は、速報発生通知の前の画面であり、放送受信部３１５が受信した映像信号あるいは蓄積再生処理部３１８が蓄積媒体３１６からデータを読み出して生成した映像信号に基づく映像６０１のみによって構成されている。一方、図６（ｂ）は、速報発生通知の後の画面であり、放送受信部３１５が受信した映像信号あるいは蓄積再生処理部３１８が蓄積媒体３１６からデータを読み出して生成した映像信号に基づく映像６０１と速報発生を示す映像７０１によって構成されている。
【００６１】
一方、速報関連データの受信前に放送受信装置３００の主電源がオフであった場合、テレビ信号処理部３２２には、スイッチ３２０からの映像信号が入力されない。この場合、テレビ信号処理部３２２は、オンスクリーン処理部３０８からの速報発生通知用の映像信号をモニタ３２８へ出力する。モニタ３２８は、入力した映像信号に応じた映像、すなわち、速報発生通知用の映像を表示する。
【００６２】
再び、図２に戻って説明する。Ｓ１０４における速報発生通知の後、放送受信装置３００の利用者が速報の発生を認識し、リモコン装置４００を用いて放送受信装置３００に対して速報の出力を要求するための所定の操作（例えば、図６（ｂ）の画面において「速報！」と表示された部分にカーソルを合わせてクリックする操作）を行うと、リモコン装置４００は、放送受信装置３００に対して速報選択要求の信号を送信する（Ｓ１０５）。
【００６３】
放送受信装置３００内のイベント処理部３２４は、例えば内蔵する受信部（図示せず）によりリモコン装置４００からの速報選択要求の信号を受信すると、システム制御部３１０へ出力する。
【００６４】
システム制御部３１０は、速報選択要求の信号を入力すると、速報処理部３０４に対して速報関連データ内の選局情報の出力を指示する。速報処理部３０４は、メッセージ取得／処理機能により、この指示に従い、メモリ３０６に格納された速報関連データから選局情報を抽出し、システム制御部３１０へ出力する。システム制御部３１０は、入力した選局情報に基づいて、選局部３２６に選局の指示を出すとともに、スイッチ３２０の接続状態を放送受信部３１５が接続されるように設定する。選局部３２６は、この指示に従って放送受信部３１５を制御する。これにより放送受信部３１５は、選局情報によって特定される放送局１００内の放送装置１０２からの放送信号としての映像信号を受信することができる。放送受信部３１５によって受信された映像信号は、スイッチ３２０を介してテレビ信号処理部３２２へ送られる。テレビ信号処理部３２２は、入力した映像信号をモニタ３２８へ出力する。
【００６５】
あるいは、システム制御部３１０は、速報選択要求の信号を入力すると、速報処理部３０４に対して速報関連データ内の速報テロップ用テキストデータの出力を指示する。速報処理部３０４は、メッセージ取得／処理機能により、この指示に従い、メモリ３０６に格納された速報関連データから速報テロップ用テキストデータを抽出してオンスクリーン処理部３０８へ出力する。また、速報処理部３０４は、メモリ３０６に格納された速報関連データに録画予約情報や特番放送情報等の制御メッセージの拡張データが含まれている場合には、これらについてもオンスクリーン処理部３０８へ出力する。オンスクリーン処理部３０８は、入力した速報テロップ用テキストデータに基づいて、速報テロップ用の映像信号を生成する。また、オンスクリーン処理部３０８は、制御メッセージの拡張データを入力した場合には、この制御メッセージの拡張データに対応する所定の映像信号（制御メッセージ映像信号）を生成し、テレビ信号処理部３２２へ出力する。また、ストリーミング処理部３１４は、ストリーミング再生データを入力した場合には、そのストリーミング再生データに基づいてストリーミング再生用の映像信号を生成し、テレビ信号処理部３２２へ出力する。テレビ信号処理部３２２は、オンスクリーン処理部３０８からの速報テロップ用の映像信号や、制御メッセージ映像信号を入力した場合には、その速報テロップ用の映像信号や、制御メッセージ映像信号をモニタ３２８へ出力する。また、テレビ信号処理部３２２は、ストリーミング処理部３１４からのストリーミング再生用の映像信号を入力した場合には、そのストリーミング再生用の映像信号をモニタ３２８へ出力する。
【００６６】
モニタ３２８は、入力した映像信号に応じた映像、すなわち、受信した映像信号に基づく速報の映像や、速報テロップ用の映像、制御メッセージの拡張データに対応する映像、ストリーミング再生の映像等を出力する（速報出力）（Ｓ１０６）。
【００６７】
速報出力時の画面の一例を図７乃至図１１に示す。図７に示す画面は、放送装置１０２から受信した映像信号あるいは速報テロップ用の映像信号に基づく速報の文字映像８０１のみによって構成されている。また、図８に示す画面は、速報テロップ用の映像信号に基づく速報の文字映像８０１と、放送受信部３１５が受信した放送信号あるいは蓄積再生処理部３１８が蓄積媒体３１６からデータを読み出して生成した映像信号に基づく映像６０１とによって構成される。
【００６８】
また、図９に示す画面は、速報関連データに録画予約情報が含まれている場合の一例であり、放送装置１０２から受信した映像信号あるいは速報テロップ用の映像信号に基づく速報の文字映像８０１と、録画予約情報に対応する録画予約欄の映像９０１とによって構成される。図１０に示す画面は、速報関連データにストリーミング再生データが含まれている場合の一例であり、ストリーミング再生の映像１００１によって構成される。なお、ストリーミング再生の映像１００１と速報の文字映像８０１とによって画面が構成されていても良い。あるいは、放送受信装置３００の利用者によるリモコン装置４００を用いた切り替え操作によって、ストリーミング再生の映像１００１によって構成される画面と、速報の文字映像８０１とによって構成される画面とが交互に切り替えられるようにしても良い。
【００６９】
また、図１１に示す画面は、速報関連データに特番放送情報が含まれている場合の一例であり、速報テロップの映像８０１と、特番放送情報に対応する、特別番組が放送中であることを示す映像（特番通知映像）１１０１とによって構成される。
【００７０】
再び、図２に戻って説明する。Ｓ１０６における速報出力の後、放送受信装置３００の利用者が、リモコン装置４００を用いて放送受信装置３００に対して更なる対応を要求するための所定の操作を行うと、リモコン装置４００は、放送受信装置３００に対して対応要求の信号を送信する（Ｓ１０７）。
【００７１】
放送受信装置３００内のイベント処理部３２４は、例えば内蔵する受信部（図示せず）によりリモコン装置４００からの対応要求の信号を受信すると、システム制御部３１０へ出力する。この場合、システム制御部３１０は、速報処理部３０４に対して利用者の要求に応じた対応を指示する。速報処理部３０４は、メッセージ取得／処理機能により、この指示に従い、利用者の要求に対応する処理を行う（Ｓ１０８）。
【００７２】
具体的には、図９の画面において、利用者がリモコン装置４００を用いて録画予約欄の映像９０１における「録画」と表示された部分にカーソルを合わせてクリックする操作を行った場合、放送受信装置３００内のイベント処理部３２４は、リモコン装置４００からの利用者の操作に対応する信号を受信し、システム制御部３１０へ出力する。そして、システム制御部３１０は、速報処理部３０４に対して、利用者の操作に対応する録画予約情報の出力を指示する。速報処理部３０４は、この指示に従い、利用者の操作に対応する録画予約情報を、メモリ部３０６に格納された速報関連データから抽出する。更に、速報処理部３０４は、抽出した録画予約情報に基づいて、速報に関連する放送番組を録画予約するための処理を行う。
【００７３】
また、図１１の画面において、利用者がリモコン装置４００を用いて特番通知映像１１０１が表示された部分にカーソルを合わせてクリックする操作を行った場合、放送受信装置３００内のイベント処理部３２４は、リモコン装置４００から利用者の操作に対応する信号を受信してシステム制御部３１０へ出力する。そして、システム制御部３１０は、速報処理部３０４に対して、選局情報の出力を指示する。速報処理部３０４は、メッセージ取得／処理機能により、この指示に従い、メモリ３０６に格納された速報関連データから選局情報を抽出し、システム制御部３１０へ出力する。システム制御部３１０は、入力した選局情報に基づいて、選局部３２６に選局の指示を出すとともに、スイッチ３２０の接続状態を放送受信部３１５が接続されるように設定する。選局部３２６は、この指示に従って放送受信部３１５を制御する。これにより放送受信部３１５は、選局情報によって特定される放送局１００内の放送装置１０２からの放送信号を受信することができる。放送受信部３１５によって受信された放送信号は、スイッチ３２０を介してテレビ信号処理部３２２へ送られる。テレビ信号処理部３２２は、入力した映像信号をモニタ３２８へ出力する。モニタ３２８は、入力した映像信号に応じた映像、すなわち、速報に関連する特別番組の映像（例えば図１２に示す映像１２０１）を出力する。
【００７４】
このように、本実施形態の放送システムでは、放送サービス制御装置２００が各放送局１００内の放送装置１０２からの速報発生通知データを受信すると、この速報発生通知データに所定の情報を付加して速報関連データを生成して放送受信装置３００へインターネット５００を介して送信する。そして、放送受信装置３００は、臨時的番組である速報に対応する放送信号を受信しているかいないかに関わらず、その速報に関連付けられたデータである速報関連データを放送信号の通信路とは別のインターネット５００を介して受信し、その速報関連データによって表される関連情報である速報発生通知用の映像をモニタ３２８から出力させている。従って、放送受信装置３００における放送信号の受信状況に関わらず、放送受信装置３００の利用者に速報の発生を通知することが可能となる。
【００７５】
また、本実施形態の放送システムでは、放送サービス制御装置２００が複数の放送局１００内の放送装置１０２から受信した速報発生通知データに所定の情報を付加して速報関連データとして放送受信装置３００へ送信しているため、放送受信装置３００は、各放送局１００内の放送装置１０２から個別に速報発生通知データ等を受信する必要がなく、受信処理を簡略化することができる。
【００７６】
なお、前述の実施形態では、放送サービス制御装置２００が放送局１００の外部に独立して構成されているが、放送局１００の内部に構成されていても良く、更には放送装置１０２と一体化されていても良い。
【００７７】
また、速報関連データの受信前に放送受信装置３００の主電源がオフであった場合、速報処理部３０４がオンスクリーン処理部３０８へ速報関連データ内の速報テロップ用テキストデータを出力し、オンスクリーン処理部３０８が入力した速報テロップ用テキストデータに基づいて、速報テロップの映像信号を生成して、テレビ信号処理部３２２に出力することにより、利用者の操作指示によらずにモニタ３２８が速報の文字映像を表示するようにしても良い。この場合、モニタ３２８が速報の文字映像を表示してから所定時間経過後、システム制御部３１０の指示により電源部３１２が主電源を再びオフにするようにしても良い。
【産業上の利用可能性】
【００７８】
以上のように、本発明にかかる放送システム、放送サービス制御装置、制御処理方法、放送受信装置及び放送サービス提供方法は、放送信号の受信状況に関わらず、放送受信装置の利用者に臨時的番組の発生を通知することが可能となるという効果を有し、放送システム等として有用である。
【図面の簡単な説明】
【００７９】
【図１】放送システムのブロック図
【図２】放送システムの動作を示すシーケンス図
【図３】速報発生通知データの一例を示す図
【図４】速報関連データの一例を示す図
【図５】放送受信装置の動作を示すフローチャート
【図６】報発生通知の前後における画面遷移を示す図
【図７】速報出力時の画面の第１の例を示す図
【図８】速報出力時の画面の第２の例を示す図
【図９】速報出力時の画面の第３の例を示す図
【図１０】速報出力時の画面の第４の例を示す図
【図１１】速報出力時の画面の第５の例を示す図
【図１２】特別番組放送時の画面の一例を示す図
【符号の説明】
【００８０】
１００−１〜１００−ｎ  放送局
１０２  放送装置
２００  放送サービス制御装置
２０２  速報関連データ生成部
２０４  速報関連データ配信部
３００  放送受信装置
３０２  通信部
３０４  速報処理部
３０６  メモリ部
３０８  オンスクリーン処理部
３１０  システム制御部
３１２  電源部
３１４  ストリーミング処理部
３１５  放送受信部
３１６  蓄積媒体
３１８  蓄積再生処理部
３２０  スイッチ
３２２  テレビ信号処理部
３２４  イベント処理部
３２６  選局部
３２８  モニタ
４００  リモコン装置
５００  インターネット
【図１】
2005260646.tif 000003
【図２】
2005260646.tif 000004
【図３】
2005260646.tif 000005
【図４】
2005260646.tif 000006
【図５】
2005260646.tif 000007
【図６】
2005260646.tif 000008
【図７】
2005260646.tif 000009
【図８】
2005260646.tif 000010
【図９】
2005260646.tif 000011
【図１０】
2005260646.tif 000012
【図１１】
2005260646.tif 000013
【図１２】
2005260646.tif 000014